(57)【特許請求の範囲】
【請求項１】
体毛の切断処理または体毛の脱毛処理を行う体毛処理部と、体毛処理用の処理剤を吐出する処理剤供給部とを備え、処理剤供給部は処理剤が充填されている処理剤容器と、処理剤を外部に吐出する吐出部と、処理剤容器内の処理剤を吐出部に送る供給手段とからなるとともに、処理剤容器から吐出部へと送られる処理剤の量を調節する調節手段を備えているとともに、上記調節手段は処理剤容器から吐出部に至る流路断面積を変更するものであることを特徴とする体毛処理装置。
【請求項２】
供給手段は柔軟性を有する処理剤容器を加圧することで処理剤容器内の処理剤を吐出部へと送るものであることを特徴とする請求項１記載の体毛処理装置。
【請求項３】
調節手段は処理剤容器から吐出部へと送られる処理剤の量をゼロとする供給停止機能を備えたものであることを特徴とする請求項１または２記載の体毛処理装置。
【請求項４】
処理剤容器から吐出部に至る流路の総容積を小さくする充填部材が上記流路内に配されていることを特徴とする請求項１記載の体毛処理装置。
【発明の詳細な説明】
【０００１】
【発明の属する技術分野】
本発明は体毛処理用の処理剤の吐出機能を備えている体毛処理装置に関するものである。
【０００２】
【従来の技術】
体毛の切断処理または体毛の脱毛処理を行う体毛処理装置に体毛処理用の処理剤（シェービング液等）を吐出する機能を設けたものがある。たとえば、特開昭５７−１５０９９２号公報や実開昭５９−１０８５７２号公報には、体毛処理用の処理剤が充填されている処理剤容器と、処理剤容器から処理剤を送り出すダイヤフラムポンプとを設けたものが示されている。
【０００３】
【発明が解決しようとする課題】
しかし、上記の体毛処理装置では処理剤の吐出量が常に一定であることから、ある人には処理剤の量が多すぎたり、ある人には処理剤の量が少なすぎることがあった。
【０００４】
また、処理剤容器から処理剤を外部に吐出する吐出部に至る流路内の処理剤は、体毛処理装置を長期使用しなかった場合、蒸発してなくなってしまうことがあるが、この場合、次に使用する時、処理剤容器内の処理剤は吐出部に至る流路を埋めた後に吐出部から吐出されることになり、処理剤の吐出に時間がかかってしまう。
【０００５】
本発明はこのような点に鑑みなされたものであって、その目的とするところは処理剤の吐出量を適切に調節することができる体毛処理装置を提供するにあり、また他の目的とするところは処理剤の吐出の応答性の良い体毛処理装置を提供するにある。
【０００６】
【課題を解決するための手段】
しかして本発明は、体毛の切断処理または体毛の脱毛処理を行う体毛処理部と、体毛処理用の処理剤を吐出する処理剤供給部とを備え、処理剤供給部は処理剤が充填されている処理剤容器と、処理剤を外部に吐出する吐出部と、処理剤容器内の処理剤を吐出部に送る供給手段とからなるとともに、処理剤容器から吐出部へと送られる処理剤の量を調節する調節手段を備えているとともに、上記調節手段は処理剤容器から吐出部に至る流路断面積を変更するものであることに特徴を有している。
【０００８】
また、供給手段としては、柔軟性を有する処理剤容器を加圧することで処理剤容器内の処理剤を吐出部へと送るものを好適に用いることができる。
【００１１】
いずれにせよ、調節手段は処理剤容器から吐出部へと送られる処理剤の量をゼロとする供給停止機能を備えたものが好ましい。
【００１３】
このほか、処理剤容器から吐出部へに至る流路の総容積を小さくする充填部材が流路内に配されているものであってもよい。処理剤容器から吐出部に至る流路の総容積が小さくなっているために、処理剤の吐出が応答性よく行われるものである。
【００１４】
【発明の実施の形態】
以下本発明を実施の形態の一例に基づいて詳述すると、図２〜図５に示す体毛処理装置は、体毛（髭）の切断を行う電気かみそりであって、体毛の切断処理を行う体毛処理部６を具備する本体１と、この本体１の外面に着脱もしくは開閉自在に配されているカバー２と、体毛処理用の処理剤が充填されている処理剤容器３と、該処理剤容器３内の処理剤を本体１の体毛処理部６の近傍に位置させた吐出部５から吐出させる供給手段４とで構成されている。
【００１５】
まず本体１から説明すると、この本体１は、図６にも示すように、筒状のハウジング１０内に駆動用モータ１１と電源としての電池１２とをシャーシ１８を介して収納したもので、その上端に位置する体毛処理部６は、ネット状の外刃と往復駆動される内刃とからなるネット刃６１を２組備えるとともに、スリット状の外刃と往復駆動される内刃とからなる１組のスリット刃６２を上記２組のネット刃６１，６１間に備えたものとなっており、これらにおける各内刃は、モータ１１の回転を往復動に変換する駆動子１４，１４とスリット刃用駆動子１５とに連結されている。図中１９はモータ１１のオンオフ用のスイッチである。
【００１６】
上記本体１の一面にはカバー２が着脱自在に配されているとともに、本体１とカバー２との間の空間の上部に吐出部５が配設され、下部に供給手段４と処理剤容器３とが配設されている。
【００１７】
ここにおける処理剤容器３は、柔軟性を有する縦長の袋として形成されたもので、その上端には接続口３０を備えている。
【００１８】
また、本例における供給手段４は、柔軟性を有する処理剤容器３を加圧することで処理剤を押し出すようにしたもので、カバー２の内面との間で処理剤容器３を挟持することになる押さえ板４０と、上下一対の圧縮コイル型のばね４１，４１と、ばねを利用した一対のアクチュエータ４２，４２とからなり、本体１の外面と押さえ板４０との間に配されたこれらばね４１，４１及びアクチュエータ４２，４２による付勢で押さえ板４０はカバー２の内面側に向けてばね付勢されており、このためにカバー２と押さえ板４０との間に処理剤容器３を配した時、処理剤容器３は常に加圧された状態となる。
【００１９】
なお、上記アクチュエータ４２は、図１４に示すように、両端が本体１に固定されたガイド軸に被せているコイルばね型のばね４２０と、一端が一方の固定端に連結されたリンク４２１と、一端が上記ガイド軸４２４に沿ってスライドするスライダーに連結されるとともに他端が上記リンク４２１の他端に連結されたリンク４２２とを備えているとともに、リンク４２１，４２２同士を連結する連結軸４２３（図７参照）を左右一対のアクチュエータ４２，４２で共有しているもので、ばね４２０によるスライダーの付勢で連結軸４２３が押さえ板４０側に突出するものとなっている。
【００２０】
吐出部５は図１，図８，図９に示すように、ベース５７と、このベース５７の側面の弧状溝５７２にスライド係合するリブ５０１を備えているヘッド部５０と、ベース５７とヘッド部５０との間に配されてヘッド部５０を上方に向けて付勢するばね５５，５５と、ヘッド部５０内に上下動自在に配されている可動体５２と、ヘッド部５０の下部に固定されている受け部材５４と、受け部材５４の接続口５４と上記ベース５７との間をつないでる可撓性を有するチューブ５６と、ヘッド部５０の上端面に設けた複数の吐出口５００に夫々配したボール５１とからなるもので、吐出口５００の上端開口径ｄ１はボール５１の直径Ｄより小さく、且つ吐出口５００の下部開口径ｄ２はボール５１の直径Ｄより大きくされており、受け部材５４との間に配されたばね５３によって上方に向けて付勢されている上記可動体５２によって、上記の各ボール５１が回転自在に受けられている。
【００２１】
また可動体５２の下方に突出する軸部５２０は受け部材５４を貫通して接続口５４０の下方に突出しているのであるが、この軸部５２０の下端部には逆止弁５２１として機能することになるＯリングが装着されている。図中５４１は受け部材５４の外周とヘッド部５０の内周との間のシール用のＯリング、５６０は屈曲自在なゴム体で形成されて上記チューブ５６の中に配されることでチューブ５６内の流路断面積を小さくしているチューブ芯、５６１はベース５７内に配されてベース５７における下部の接続口５７０からチューブ５６に至る内部流路の断面積を絞って処理剤の流量を一定にする中空パイプ、５７１は処理剤容器３の接続口３０が着脱自在に接続される接続口５７０の外周に装着されて、接続口３０との間のシールを行うＯリングである。
【００２２】
この吐出部５においては、ベース部５７に対してヘッド部５７がばね５５によって上方へ付勢されており、さらにヘッド部５７に対して可動体５２及びボール５１が上方へ付勢されており、このために通常時は上記逆止弁５２１が閉じているとともにボール５１が吐出口５００を閉じているが、ヘッド部５７の上端を肌に押し付ければ、図１１に示すようにボール５１及び可動体５２がばね５３に抗して沈んで吐出口５００を開くとともに逆止弁５２１を開くものであり、このために上記供給手段４で加圧されている処理剤容器３内の処理剤は、接続口３０からベース部５７内とチューブ５６内を通り、開いている逆止弁５２１並びにヘッド部５０内面と可動体５１の溝が形成されている外面との間の空間を通じて吐出口５００から外部の吐出される。さらに強くヘッド部５７の上端を肌に押し当てれば、ヘッド部５０がばね５５に抗して沈み込むフロート動作がなされる。
【００２３】
供給手段４で処理剤容器３を常時加圧していることから、処理剤は常に押し出されて吐出部５のヘッド部５０に向かうものの、ヘッド部５０の上端面を肌に押し当てないことには処理剤の吐出がなされないものである。また、上向きだけでなく下向きや横向きに使用されても処理剤の吐出量は変化せず、処理剤を均一に肌に塗布することができるものとなっている。
【００２４】
ただし、図１に示すように、ベース５７にねじ込まれて先端が処理剤の流路内に突出している調節ねじ２９を回せば流路の断面積が変化し、単位時間当たりの処理剤の流量が変化するために、吐出量を調整することができるものであり、使用者は好みに応じた量の処理剤を吐出させつつ体毛処理を行うことができる。また、ここでの調節ねじ２９は、図２及び図３に示すように、本体１及びカバー２における手で握るところである中程付近に配しているために、その調整操作を容易に行うことができる。また、ここでは調節ねじ２９を奥までねじ込んだ時、ベース５７内の流路が閉じられてしまうようにしているために、処理剤を吐出させることなく体毛処理（髭剃り）を行うこともできる。
【００２５】
図１は処理剤容器３内の処理剤が減ってきた時点での状態を示しており、さらに図１３〜図１５は処理剤がすべて吐出された時点での状態を示している。このように処理剤が無くなった時には、図１４に示すように、押さえ板４０の上端が本体１に設けた検知スイッチ４９を押圧して接点を切り替えるために、本体１内の制御駆動回路を実装した基板１３上に搭載した発光ダイオード１３０が点灯し、本体１の透明部を通じてカバー２の半透明部を光らせる。従って処理剤の残量が少なくなって処理剤容器３の交換時期が近づいたことを使用者は認識することができる。
【００２６】
なお、押さえ板４０は、図１２に示すように、処理剤容器３の幅よりも大きく且つ本体１に対する位置決め係止部１０５，１０６も処理剤容器３の外側にくるようにしておくことが好ましい。処理剤容器３内の処理剤の残量を少なくすることができるからである。同様の理由で押さえ板４０の処理剤容器３に接する面は、カバー２の内面と同じ形状としてある。また、押さえ板４０の上端と吐出部５の接続口５７０に接続される処理剤容器３の剛体からなる接続口３０との間の部分は、押さえ板４０で絞ることができない部分であるが、この部分に関しては、図１３に示すように、本体１及びカバー２からリブ１７を突出させておくとよい。
【００２７】
処理剤容器３の交換は、カバー２における着脱釦２０をばね付勢に抗して押して本体１との係合を解除することでカバー２を取り外し、古い処理剤容器３を取り外した後、新しい処理剤容器３の接続口３０を吐出部５の接続口５７０に接続し、カバー２を再度装着することで行う。処理剤容器３から吐出口５００に至る流路の全容積は上記の可動体５２やチューブ芯５６０や中空パイプ５６１などによって小さくされているために、吐出部５の内部への無駄な処理剤の滞留量は少なく、このために初めて処理剤容器３を装填して使用する時や、長期使用しなかったために流路内の処理剤が蒸発してしまっている時にも処理剤の吐出はすぐになされる。
【００２８】
図１６に他例を示す。これは処理剤が流れる流路断面積の調節用の調節ねじ２９をヘッド部５０に取り付けてその先端がチューブ５６内に突出するようにしたものであり、この場合も調節ねじ２９を回すことで、チューブ５６内の断面積を変化させることができるために、処理剤の流量を調節することができる。また、体毛処理装置を使用時に握るところとなる中程から下端にかけての部分ではなく、上端部に位置するヘッド部５０に調節ねじ２９を設けているために、不用意に調節ねじ２９を動かしてしまうことがない。
【００２９】
図１７は別の例を示している。これは供給手段４のアクチュエータ４２におけるばね４２０のばね受け台７１を調節ノブ７０によって動かすことでばね４２０の初期圧縮量を変えられるようにしたもので、調節ノブ７０のスライド操作でばね受け台７１を動かせば、ばね４２０の圧縮量が変化することから、ばね４２０による処理剤容器３の加圧力も変化するものであり、該加圧力の変化で処理剤の吐出量を調節することができるようにしたものである。
【００３０】
図１８はさらに別の例を示している。これは押さえ板４０を介して処理剤容器３を加圧するばね４１及びアクチュエータ４２の他に、カバー２に取り付けられて手動操作で処理剤容器３を加圧する加圧手段９０を設けたもので、先端のプレート部９３を処理剤容器３の表面に接触させている加圧手段９０をばね９２に抗して押せば、処理剤容器３はばね４１及びアクチュエータ４２におる押さえ板４０を介した加圧力に加えて、加圧手段９０による加圧も受けるために、処理剤の吐出量が一時的に多くなる。図中９１はばね受けである。
【００３１】
図１９に示すように、処理剤容器３内の処理剤をモータ８０で駆動される電動ポンプ８１によって吐出部５に送り出すようにしたものでは複数段に切替可能な調節スイッチ８２を設けて、調節スイッチ８２の切替によりモータ８０の回転数を変えることができるようにしておくことで、吐出量の調節を行うことができるものとなる。なお、調節スイッチ８２の切替の中には、モータ８０を停止させるモードを入れておくことで、吐出剤を吐出させることなく体毛処理を行うこともできるものとなる。
【００３２】
図２０に別の例を示す。これは逆止弁からなる流入弁７４と吐出弁７５とを備えるとともにダイアフラム７５の作動によって内容積が変化するポンプ７３をチューブ５６の途中に設けるとともに、ダイアフラム７５の駆動用のレバー７７を設けたもので、レバー７７を押し込めばレバー７６の先端が弾性片７６を介してダイアフラム７５を押圧するために、ポンプ７３内の処理剤が吐出弁７５を通じて吐出部５へと送り出され、レバー７６がばね７９によって復帰するとともにダイアフラム７５が復帰する時、流入弁７４が開いて処理剤容器３内の処理剤がポンプ７３内に流入するようにしたものであり、また、レバー７７のねじ軸部に螺合しているとともに上記ばね７９を受けているダイアル７８を回転させれば、レバー７７先端と弾性片７６との間の間隔が変化するために、レバー７７を一定量押し込む時のダイアフラム７５のストロークが変化して処理剤の吐出量が変化する。手動ポンプの駆動用のレバー７７を動かす量を変化させなくても、ダイアル７８の操作により、ダイアフラム７５のストロークが変化して吐出量を調節することができるものである。
【００３３】
図２１は本体１が髭剃り用の体毛処理部６ではなく、モータ７５によって回転駆動される脱毛ブロック７０に開閉駆動される脱毛爪７１を設けた脱毛用の体毛処理部７を備えたものを示している。
【００３４】
【発明の効果】
以上のように本発明に係る体毛処理装置は、体毛の切断処理または体毛の脱毛処理を行う体毛処理部と、体毛処理用の処理剤を吐出する処理剤供給部とを備え、処理剤供給部は処理剤が充填されている処理剤容器と、処理剤を外部に吐出する吐出部と、処理剤容器内の処理剤を吐出部に送る供給手段とからなるとともに、処理剤容器から吐出部へと送られる処理剤の量を調節する調節手段を備えている上に、該調節手段は処理剤容器から吐出部に至る流路断面積を変更するものであるために、使用者は自分の好みに応じた量や季節に応じた量（たとえば夏は清涼感を得るために多めに、冬は冷たさを抑えるために少なめに）の処理剤を的確に吐出させて体毛処理を行うことができる。
【００３５】
しかも、流体抵抗は流路断面積の自乗に比例して大きくなることから、調節手段の適度な操作量で流量調節を行うことができる。
【００３６】
また、供給手段が柔軟性を有する処理剤容器を加圧することで処理剤容器内の処理剤を吐出部へと送るものであっても、処理剤の吐出量を的確に調節することができる。
【００４０】
そして調節手段は処理剤容器から吐出部へと送られる処理剤の量をゼロとする供給停止機能を備えたものが好ましい。処理剤を必要とすることなく体毛処理を行うこともできるものとなる。
【００４２】
また処理剤容器から吐出部に至る流路の総容積を小さくする充填部材が流路内に配されているものでは、処理剤容器から吐出部へに至る流路の総容積が小さくなっているために、処理剤の吐出が応答性よく行われるものである。
【図面の簡単な説明】
【図１】本発明の実施の形態の一例の吐出部の縦断面図である。
【図２】同上の正面図である。
【図３】同上の一部を破断した側面図である。
【図４】同上の縦断面図である。
【図５】同上の水平断面図である。
【図６】同上の本体部の分解斜視図である。
【図７】同上の処理剤吐出関係部材の分解斜視図である。
【図８】同上の吐出部の分解斜視図である。
【図９】同上の吐出部の横断面図である。
【図１０】同上の吐出部の処理剤吐出時の横断面図である。
【図１１】同上のカバーを外した状態の正面図である。
【図１２】同上の縦断面図である。
【図１３】同上の縦断面図である。
【図１４】同上の縦断面図である。
【図１５】同上の水平断面図である。
【図１６】他例の吐出部の縦断面図である。
【図１７】別の例の縦断面図である。
【図１８】更に別の例の縦断面図である。
【図１９】他の例の縦断面図である。
【図２０】更に他の例の縦断面図である。
【図２１】他の実施の形態の一例の縦断面図である。
【符号の説明】
３  処理剤容器
４  供給手段
５  吐出部
６  体毛処理部
２９  流量調節ねじ
【図１】
0004151275.tif 000002
【図２】
0004151275.tif 000003
【図３】
0004151275.tif 000004
【図４】
0004151275.tif 000005
【図５】
0004151275.tif 000006
【図６】
0004151275.tif 000007
【図７】
0004151275.tif 000008
【図８】
0004151275.tif 000009
【図９】
0004151275.tif 000010
【図１０】
0004151275.tif 000011
【図１１】
0004151275.tif 000012
【図１２】
0004151275.tif 000013
【図１３】
0004151275.tif 000014
【図１４】
0004151275.tif 000015
【図１５】
0004151275.tif 000016
【図１６】
0004151275.tif 000017
【図１７】
0004151275.tif 000018
【図１８】
0004151275.tif 000019
【図１９】
0004151275.tif 000020
【図２０】
0004151275.tif 000021
【図２１】
0004151275.tif 000022